(57)【要約】【課題】ＩＣリーダライタがカード搬送パス上のカードおよびユーザからかざされたカードに対して通信可能に設けられていても、カード搬送パス上のカードに対して行うべき処理をユーザによってかざされたカードに対して行ってしまうようなエラーを低減する。【解決手段】ＩＣリーダライタの通信範囲においてカードの有無を検出し、その際にカード搬送パス上のカードが第１通信部にあるか否かを判定する。その結果に応じて、検出されたカードが搬送パス上のカードかユーザによってかざされたカードかを判別し、それに合わせた処理を実行する。【選択図】図７
2010262416.tif 000002
【特許請求の範囲】
【請求項１】
ホストコンピュータと、
ＩＣリーダライタ装置筐体と、
前記装置筐体の内部に設けられ、第１のカードを搬送するための搬送パスと、
無線信号を送受信することで、前記搬送パス上の第１通信部にある前記第１のカードおよび前記搬送パスとは異なる位置の第２通信部にユーザによって前記装置筐体の外部から位置づけられる第２のカードと選択的に通信可能なＩＣリードライト部と、
を備えた非接触ＩＣリードライトシステムにおいて、
前記第１通信部と前記搬送パス上の前記第１通信部から外れた待機部との間で前記第１のカードを搬送する搬送手段と、
前記第１通信部および前記第２通信部において、前記ＩＣリードライト部から発信される無線信号に対するカードからの反応の有無によってカードの有無を検出するカード有無検出手段と、
前記第１のカードが前記第１通信部にあるか否かを判定する判定手段と、
前記カード有無検出手段と前記判定手段との結果に応じて、前記カード有無検出手段によって検出されたカードに対する処理を変更する制御手段と、
を備えたことを特徴とする非接触ＩＣリードライトシステム。
【請求項２】
前記制御手段は、前記判定手段によって前記第１のカードが前記第１通信部にないと判定された場合、前記第１のカードを前記第１通信部に進入させないように搬送手段を制御することを特徴とする請求項１に記載の非接触ＩＣリードライトシステム。
【請求項３】
前記制御手段は、前記判定手段によって前記第１のカードが前記第１通信部にないと判定された場合、前記カード有無検出手段によって検出された前記カードは前記第２のカードであると判断して処理を行うことを特徴とする請求項１または２に記載の非接触ＩＣリードライトシステム。
【請求項４】
前記制御手段は、前記判定手段によって前記第１のカードが前記第１通信部にあると判定された場合、前記カード有無検出手段によって検出されたカードは前記第１のカードであると判断して処理を行うことを特徴とする請求項１または２に記載の非接触ＩＣリードライトシステム。
【請求項５】
前記判定手段は、前記搬送パス上で前記第１のカードの有無を検知する少なくとも１つのセンサを有することを特徴とする請求項１ないし４のいずれか１項に記載の非接触ＩＣリードライトシステム。
【請求項６】
前記搬送手段は前記第１のカードを搬送するための駆動部材を有し、前記判定手段は、前記前記駆動部材の駆動量を測定し、前記駆動量と前記センサの検知結果に基づいて判定することを特徴とする請求項５に記載の非接触ＩＣリードライトシステム。
【請求項７】
ＩＣリーダライタ装置筐体と、
前記装置筐体の内部に設けられ、第１のカードを搬送するための搬送パスと、
無線信号を送受信することで、前記搬送パス上の第１通信部にある前記第１のカードおよび前記搬送パスとは異なる位置の第２通信部にユーザによって前記装置筐体の外部から位置づけられる第２のカードと選択的に通信可能なＩＣリードライト部と、
を備えた非接触ＩＣリーダライタ装置において、
前記第１通信部と前記搬送パス上の前記第１通信部から外れた待機部との間で前記第１のカードを搬送する搬送手段と、
前記第１通信部および前記第２通信部において、前記ＩＣリードライト部から発信される無線信号に対するカードからの反応の有無によってカードの有無を検出するカード有無検出手段と、
前記第１のカードが前記第１通信部にあるか否かを判定する判定手段と、
前記カード有無検出手段と前記判定手段との結果に応じて、前記カード有無検出手段によって検出されたカードに対する処理を変更する制御手段と、
を備えたことを特徴とする非接触ＩＣリーダライタ装置。
【請求項８】
プリンタ装置筐体と、
前記装置筐体の内部に設けられ、第１のカードを搬送するための搬送パスと、
無線信号を送受信することで、前記搬送パス上の第１通信部にある前記第１のカードおよび前記搬送パスとは異なる位置の第２通信部にユーザによって前記装置筐体の外部から位置づけられる第２のカードと選択的に通信可能なＩＣリードライト部と、
前記第1のカードの表面に文字ないし画像を印刷する印刷部と、
を備えたプリンタ装置において、
前記第１通信部と前記搬送パス上の前記第１通信部から外れた待機部との間で前記第１のカードを搬送する搬送手段と、
前記第１通信部および前記第２通信部において、前記ＩＣリードライト部から発信される無線信号に対するカードからの反応の有無によってカードの有無を検出するカード有無検出手段と、
前記第１のカードが前記第１通信部にあるか否かを判定する判定手段と、
前記カード有無検出手段と前記判定手段との結果に応じて、前記カード有無検出手段によって検出されたカードに対する処理を変更する制御手段と、
を備えたことを特徴とするプリンタ装置。
【発明の詳細な説明】
【技術分野】
【０００１】
本発明は、非接触にてＩＣカードと通信を行い、データの読込みおよび書込み処理が可能な非接触ＩＣリードライトシステムに関するものである。
【背景技術】
【０００２】
ＩＣカードは、ＩＣチップを内蔵したカードから構成され、磁気ストライプカードに比べて大容量のデータを扱うことができ、また高いセキュリティを確保できることから、個人識別用のＩＤカードやプリペイドカード等として使用されている。また、このようなＩＤカードを発行するために、カード表面に印刷をする機能を持つカードプリンタと、カードにデータを書込みおよび読取りをするためのＩＣリーダライタとが一体となったプリンタ装置が使用され、カード表面への印刷処理とＩＣチップへのデータの記録処理とを行っている。このような場合、プリンタ装置はカード搬送パスを有し、ＩＣリーダライタのアンテナをカード搬送パス近傍に設けることで、カード搬送パスの所定の位置に搬送されたカードとＩＣリーダライタとの通信を行う。また別のＩＣリーダライタとしては、ＩＣリーダライタの装置筐体の外部からユーザがカードをかざすことによって、カードとＩＣリーダライタとの通信を行うものもある。
【０００３】
従来、上述したカード搬送パス上のカードと装置筐体の外部からユーザによってかざされたカードとの両方に対して、１台のＩＣリーダライタで通信可能なＩＣリーダライタ装置は知られている（例えば、特許文献１参照）。このようなＩＣリーダライタ装置では、カード搬送パス上のカードに対してはカード発行ためのデータを書込む場合がある。その際、データが書込まれるカードはブランクカードを使用することが多い。一方、装置筐体の外部からかざされるカードは、既に発行されたカードが使用されることが多く、カードに対してデータの読取りや書換えの処理が行われる。
【０００４】
しかし、これらの非接触式のＩＣリーダライタは、ＩＣリーダライタの通信範囲内にカードが存在することは検知できるが、カード搬送パス上のカードか装置筐体の外部からかざされるカードかを区別することはできない。よって、ユーザがカードをかざすタイミングによっては、本来ブランクカードに書込むはずのデータを発行済みのカードに対して上書きしてしまうおそれがある。
【０００５】
ところで、カード搬送パス上のカードと装置筐体の外部からかざされるカードとを、１台のＩＣリーダライタで同時に通信させないように構成されたＩＣリーダライタ装置は知られている（例えば、特許文献２参照）。この装置によると、カード搬送パス上でカードをロックするロック機構を備えており、カードが搬送パスに挿入されてロック機構によりカードが固定されるとロック信号が発生する。そのロック信号の発生によりＩＣリーダライタの通信距離を縮め、装置筐体の外部からかざされるカードとの通信を行わないように構成している。この構成であれば、ロック信号が発生したときに搬送パス上のカードのみを処理するので上述した問題を防ぐことはできるが、既存の装置に加えてロック機構を設けなければならないので構成が複雑になる。また、ＩＣリーダライタの通信距離を変化させることは、ＩＣリーダライタとカードとの通信距離が不安定になるため、通信に悪影響を及ぼすおそれがある。
【先行技術文献】
【特許文献】
【０００６】
【特許文献１】特開平１１−１６１７５１号公報
【特許文献２】特開２０００−２８５２０７号公報
【発明の概要】
【発明が解決しようとする課題】
【０００７】
本発明は上記課題を解決するもので、ＩＣリーダライタがカード搬送パス上のカードおよびユーザからかざされたカードに対して通信可能に設けられていても、カード搬送パス上のカードに対して行うべき処理をユーザによってかざされたカードに対して行ってしまうようなエラーを低減できる非接触ＩＣリードライトシステム、非接触ＩＣリーダライタ装置およびプリンタ装置を提供することを目的とする。
【課題を解決するための手段】
【０００８】
上記課題を解決するために、本発明の非接触ＩＣリードライトシステムは、ホストコンピュータと、装置筐体と、前記装置筐体の内部に設けられ、カードを搬送するための搬送パスと、前記カードを前記搬送パス上で搬送する搬送手段と、無線信号を送受信することでカードと非接触で通信可能なアンテナと、を備え、前記搬送パス上に設けられた第１通信部と前記搬送パスとは異なる位置に設けられた第２通信部とにおいて、前記カードと前記アンテナとが通信可能に構成され、前記アンテナの通信範囲内でカードの有無を検出するカード有無検出手段と、前記搬送パス上のカードが前記第１通信部にあるか否かを判定する判定手段と、前記カード有無検出手段と前記判定手段との結果に応じて、前記カード有無検出手段によって検出されたカードに対する処理を変更する制御手段とを備えたことを特徴とする。
【０００９】
本発明において、前記制御手段は、前記判定手段によって前記搬送パス上のカードが前記第１通信部にないと判定された場合、前記搬送パス上のカードを前記第１通信部に進入しないように搬送手段を制御することを特徴とする。
【００１０】
また制御手段は、前記判定手段によって、前記搬送パス上のカードが第１通信部にないと判定されたら、カード有無検出手段によって検出されたカードは第２通信部にあるカードと判別して処理を行い、一方、第１通信部にあると判定されたら検出されたカードは第１通信部にあるカードと判別して処理を行うことを特徴とする。
【発明の効果】
【００１１】
本発明によれば、ＩＣリーダライタの通信範囲内においてカードを検出したら、搬送パス上の通信部にカードがある場合とない場合とでカードに対する処理を異ならせているため、１台のＩＣリーダライタがカード搬送パス上のカードおよびユーザによってかざされるカードとに対して通信可能に設けられていても、カード搬送パス上のカードに対して行うべき処理をユーザによってかざされたカードに対して行ってしまうようなエラーを低減できる。
【図面の簡単な説明】
【００１２】
【図１】本発明が適用可能な実施形態のプリンタ装置が接続可能されたシステム構成図である。
【図２】実施形態のプリンタ装置の概略断面図で、搬送パス上のカードが第１通信部にある状態を示す。
【図３】実施形態のプリンタ装置の概略断面図で、搬送パス上のカードが待機部にある状態を示す。
【図４】実施形態のプリンタ装置の制御部の概略構成を示すブロック図である。
【図５】実施形態のＩＣリーダライタとＩＣカードとの間の通信を示すシーケンス図である。
【図６】実施形態のカード発行コマンドを受信する前の処理の流れを説明するフローチャートである。
【図７】実施形態のカード発行コマンドを受信した後の処理の流れを説明するフローチャートである。
【図８】実施形態のカードの概略構成を示した図である。
【発明を実施するための形態】
【００１３】
以下、図面を参照して、本発明の実施形態について説明する。
＜システム構成＞
図１に示すように、プリンタ装置１は、図示を省略するインターフェースを介して、上位装置１０（例えば、パーソナルコンピュータ等のホストコンピュータ）に接続され、上位装置１０からプリンタ装置１に印刷データやＩＣ記録データ等を送信して、記録動作等を指示することが可能である。
【００１４】
上位装置１０には、一般に、印刷データに使用される画像等を入力する画像入力装置４（例えばカメラやスキャナ等）、上位装置１０に命令やデータを入力するためのキーボードやマウス等の入力装置３、上位装置１０によって生成されたデータや、後述するＩＣリーダライタによってカードから得られたデータ等の表示を行う液晶ディスプレイ等のモニタ２が接続されている。
【００１５】
＜内部構成＞
次に、図２を参照して、プリンタ装置１及び上位装置１０の内部の各構成要素について説明する。カード供給部１６は、プリンタ装置１の一側に着脱自在に設けられ、その内部に記録処理前の複数のブランクなカードＣ１を積層状に収納可能としており、プリンタ装置１側に設けられ、図示を省略するモータにより回転駆動する供給ローラ１７が最下位（最下層）のカードを装置内部へと繰り出す。プリンタ装置１は、筐体２４の内部にカードＣ１が搬送される搬送パスＰを備えており、供給ローラ１７によってカードＣ１は搬送パスＰに繰り出される。
【００１６】
印刷部２０はカードＣ１の表面に文字や画像等のデータを印刷する。本形態においては、印刷部２０は熱転写プリンタの構成が採用されており、搬送パスＰ上の印刷位置に設けられたプラテンローラ２２に対して進退可能に設けられたサーマルヘッド２１を有している。プラテンローラ２２とサーマルヘッド２１との間には、インク層Ｙ（イエロー）、Ｍ（マゼンタ）、Ｃ（シアン）、Ｂｋ（ブラック）等の複数色が面順次に繰り返されたインクリボンＲが介在しており、インクリボンＲを介してサーマルヘッド２１をカードＣ１に対して圧接して印刷を行う。
【００１７】
搬送パスＰ上のカードＣ１は、搬送パスＰに設けられた複数の搬送ローラ（対）１８に狭持されて搬送される。搬送ローラ１８はステッピングモータＭの駆動により回転する。なお、搬送パスＰにはカード検出用のセンサ１５が設けられており、センサ１５はカードＣ１の先端が通過したことを検知する。そして、後述する制御部９５はセンサ１５の検知結果とステッピングモータＭの駆動量を参照してカードＣ１の位置を管理する。
【００１８】
カード供給部１６の下方にはカード排出部２５が装置筐体２４に対して着脱自在に設けられている。カードＣ１に対する処理が終了するとカードＣ１はカード排出部２５へ搬送され、処理済のカードＣ１がカード排出部２５に積層状に収納される。カードＣ１がカード排出部２５に搬送される際は、搬送パスＰがカード排出部２５の方向に切り替えられる。
【００１９】
ＩＣリーダライタ１１はＩＣ制御部１１ａとアンテナ（コイル）１１ｂとで構成され、搬送パスＰと筐体２４の天板との間に設けられている。本形態のＩＣリーダライタ１１は電磁誘導方式を利用して、非接触でカードとの通信を行う。カードＣ（図８参照）はＩＣチップ３０とアンテナ（コイル）３１が搭載されており、カードＣのアンテナ３１とＩＣリーダライタのアンテナ１１ｂとの間の誘導起電力を用いて通信を行う。まず、ＩＣリーダライタ１１のアンテナ１１ｂに電流を流して、アンテナ１１ｂに対して垂直方向に磁界を発生させる。次に、この磁界をカードＣのアンテナ３１が受けるとアンテナ３１に起電力が発生し、アンテナ３１に電流が流れることでＩＣチップ３０に電源が供給される。さらに、ＩＣリーダライタ１１は発生した磁界に特定のデータ(コマンド）が変調された信号を乗せて発信し、カードＣは信号を受信することで通信を行う。同様に、カードＣのアンテナ３１に電流が流れることで磁界が発生し、その磁界に乗せてＩＣリーダライタ１１に信号を発信している。
【００２０】
ＩＣリーダライタ１１は通常時、アンテナ１１ｂから応答要求信号を発信している。カードＣが応答要求信号を受信すると応答要求信号に従ってレスポンス信号を発信し、ＩＣリーダライタ１１はレスポンス信号を受信する。これにより、ＩＣリーダライタ１１の通信範囲内にカードＣが存在することを検出する（以下、応答処理という）。その後、ＩＣリーダライタ１１はカードＣに対して特定の番号を照会して認証を行い、認証されたカード以外とは通信を行わないようにする（以下、カード認証処理という）。カードＣが認証されたら、そのカードＣに対して上位装置１０の命令に従ってデータの書込みまたは読込み処理を行う（以下、リードライト処理という）（図５参照）。
【００２１】
上述したように、ＩＣリーダライタ１１は非接触でカードＣとの通信を行うため、発生した磁界の範囲内であればどこでもＩＣリーダライタ１１とカードＣとは通信可能である。そこで本形態のＩＣリーダライタ１１の通信可能領域は図２の符号１２、１３に示した範囲であり、ＩＣリーダライタ１１に対して搬送パスＰ側を第１通信部１２、筐体２４の天板側を第２通信部１３という。なお、筐体２４の天板の一部には上述した磁界を通過させる材質で構成されたカードかざし部３３が設けられており、ユーザはカードかざし部３３にカードＣ２をかざすことにより第２通信部１３にカードＣ２を進入させる。よって、第１通信部１２では、搬送パスＰ上で搬送されたカードＣ１との通信を行い、第２通信部１３では、ユーザによってカードかざし部３３にかざされたカードＣ２との通信を行う。
【００２２】
なお、図２はカードＣ１が第１通信部１２に搬送された状態を表し、この状態ではＩＣリーダライタ１１とカードＣ１との間で通信が行われている。一方図３は、カードＣ２がユーザによってカードかざし部３３（第２通信部１３の範囲内）にかざされている状態を表し、この状態ではＩＣリーダライタ１１とカードＣ２との間で通信が行われている。なお、搬送パスＰにおいて印刷部２０と第１通信部１２との間に待機部１４を設け、カードＣ１が待機部１４にある状態では、ＩＣリーダライタ１１とカードＣ１との通信は行われない（図３参照）。また、カードかざし部３３に近接した位置にプリンタ装置１の状態やユーザに対する警告等を表示する表示部１９を備えている。
【００２３】
次に、プリンタ装置１の制御および電気系統について説明する。プリンタ装置１は、プリンタ装置１全体の動作制御を行う制御部９５と、ＩＣリーダライタ１１の制御を行うＩＣ制御部１１ａと、商用交流電源から各機構部および制御部等を駆動／作動可能な直流電源に変換する電源部９０とを有している。
【００２４】
＜制御部＞
図４に示すように、制御部９５は、プリンタ装置１の全体の制御処理を行うマイクロコンピュータ９５ｂ（以下、マイコン９５ｂと略称する。）を備えている。マイコン９５ｂは、中央演算処理装置として高速クロックで作動するＣＰＵ、プリンタ装置１の基本制御動作（プログラムおよびプログラムデータ）が記憶されたＲＯＭ、ＣＰＵのワークエリアとして働くＲＡＭおよびこれらを接続する内部バスで構成されている。マイコン９５ｂには外部バスが接続されている。外部バスには、上位装置１０の制御部との通信を行うための図示を省略したインターフェース、カードＣ１に印刷すべき印刷記録データ等を一時的に格納するバッファメモリ９５ａが接続されている。
【００２５】
また、外部バスには、センサ１５等の各種センサからの信号を制御するセンサ制御部９５ｃ、各モータに駆動パルスや駆動電力を送出するモータドライバ等を制御するアクチュエータ制御部９５ｄ、サーマルヘッド２１の熱エネルギーを制御するサーマルヘッド制御部９５ｅ、および、表示部１９を制御するための表示制御部９５ｆが接続されている。センサ制御部９５ｃは発光素子、受光素子からなるカード検出センサ１５および他の図示を省略するセンサに、アクチュエータ制御部９５ｄはステッピングモータＭおよび他の図示しないモータ、アクチュエータ等に、サーマルヘッド制御部９５ｅはサーマルヘッド５１に、操作表示制御部９５ｆはオペパネ部５にそれぞれ接続されている。
【００２６】
また、プリンタ装置１に内蔵されたＩＣリーダライタ１１もプリンタ装置１と同様に、ＩＣリーダライタ１１の制御を行うＩＣ制御部１１ａを備えている。ＩＣ制御部１１ａもメモリとマイコンを有し、上位装置１０の制御部と通信を行い、上位装置１０の命令に従って動作する。そして、ＩＣ制御部１１ａはアンテナ１１ｂに対してカードＣとの通信を行うための制御を行う。なお、電源部９０は、制御部９５、サーマルヘッド２１、表示部１９、各センサ（センサ１５を含む）、各アクチュエータ（モータＭを含む）およびＩＣリーダライタ１１に作動／駆動電源を供給している。
【００２７】
＜動作＞
以下、本形態の上位装置１０およびプリンタ装置１の処理フローについて説明する。プリンタ装置１に内蔵されているＩＣリーダライタ１１は、第１通信部にあるカードＣ１に対してはカード発行に伴って上位装置１０から命令された処理を実行する。一方、第２通信部にあるカードＣ２に対してはカードＣ２に格納されている所定のデータを読込んで、読込んだデータを上位装置１０に接続されているモニタ２に表示するようにプログラムされている。ユーザはカードＣ２に印刷された情報と、表示（カードＣ２に格納）された情報とを見比べて、適正なカードであるかを判断する。
【００２８】
ＩＣリーダライタ１１は常時、応答要求信号を発信しており、ＩＣリーダライタ１１の通信範囲（第１通信部１２および第２通信部１３）に入ってきたカード（レスポンス信号を発信したカード）に対して通信を行う。よって、第１通信部１２においてカードＣ１に対してカード発行処理を行うためのコマンドが上位装置１０から発生していない場合は、カードＣ１が搬送パスＰに繰り出されないため、ユーザによってかざされたカードＣ２に対する処理を行う（図６参照）。
【００２９】
上位装置１０によってカード発行コマンドが生成され、プリンタ装置１に命令が出された場合は、レスポンス信号を発信したカードがカードＣ１なのかカードＣ２なのかを区別することはできない。よって、本形態では以下の処理フローに従って動作する（図７参照）。
【００３０】
まず、上位装置１０によってカードＣ１に対するカード発行コマンドが生成される。コマンドを受信したプリンタ装置１はカードＣ１を搬送パスＰに繰り出し、カードＣ１の搬送を開始する。カードＣ１が搬送中もＩＣリーダライタ１１は応答要求信号を発信している。
【００３１】
もし応答要求信号に対してレスポンス信号を受信した場合、ＩＣリーダライタ１１の通信範囲内（第１通信部１２および第２通信部１３）にカードが存在することを検出する。そのとき、搬送パスＰ上のカードＣ１が第１通信部１２にあるか否かを判別する。もしカードＣ１が第１通信部１２にあると判別された場合は、ＩＣリーダライタ１１の通信範囲内に存在するカードはカードＣ１であることがわかるため、ＩＣリーダライタ１１はカード発行コマンドに従ったＩＣ処理をカードＣ１に対して行う。その際表示部１９に、ユーザがカードかざし部３３（第２通信部１３）にカードＣ２をかざすことを禁止する旨の警告表示を行う。本形態では、ユーザがカードかざし部３３にカードＣ２をかざしてはいけないときは赤色のＬＥＤを発光させる。一方、カードＣ２をかざしてよいときは青色のＬＥＤを発光させる。カードＣ１に対する処理が終了すると、カードＣ１は待機部１４側へカードＣ１をスイッチバック搬送して印刷部２０で印刷処理を行う。すべての処理が終了したカードＣ１はカード排出部２５へ排出される。
【００３２】
一方、カードＣ１が第１通信部１２にないと判別された場合は、ＩＣリーダライタ１１の通信範囲内に存在するカードはユーザによって第２通信部にかざされたカードＣ２であることがわかる。そのときは、カードＣ１を待機部１４でカード搬送を停止し、カードＣ２に対するＩＣ処理を行う。ＩＣリーダライタ１１はカードＣ２に格納された所定のデータを読出し、その結果を上位装置１０に送信して、上位装置１０はモニタ２に結果を表示する。カードＣ２に対する処理が終了したらカードＣ１の搬送を再開する。
【００３３】
＜効果等＞
本形態のプリンタ装置１では、内蔵されたＩＣリーダライタ１１が、第１通信部１２にあるカードＣ１および第２通信部１３にあるカードＣ２と選択的に通信可能に設けられており、ＩＣリーダライタ１１の通信範囲にカードが存在することを検出したら、第１通信部１２にカードＣ１があるか否かを判定する。その結果によって検出されたカードが第１通信部１２にあるカードＣ１か第２通信部１３にあるカードＣ２かを判別できるため、カード搬送パスＰ上のカードＣ１に対して行うべき処理をユーザによってかざされたカードＣ２に対して行ってしまうようなエラーを低減できる。
【００３４】
また、カードを検出したときに搬送パスＰ上のカードＣ１が待機部１４にある場合は、カードＣ１を待機部１４で停止させるように搬送ローラ１８の駆動を制御するため、第２通信部１３においてカードＣ２を処理しているときにカードＣ１が第１通信部１２に搬送されることがないので、カードＣ１とカードＣ２とがＩＣリーダライタ１１の通信範囲に混在することによって発生するおそれのあるエラーが低減できる。
【００３５】
なお、待機部１４は搬送パスＰ上で第１通信部１２から外れた位置（ＩＣリーダライタ１１と通信不可能な位置）であればどこでもよく、またカードＣ１を待機部１４で停止させる必要はない。よってカードＣ１が印刷部２０で印刷処理をしているときも、第２通信部１３においてカードＣ２に対するＩＣ処理は可能である。また、カードＣ２に対するカード認証処理の後はカードＣ１が第１通信部に搬送されてもカードＣ１はＩＣリーダライタ１１に対して反応しないため、カードＣ２に対するカード認証処理が終了した段階でカードＣ１の搬送を再開してもよい。
さらに、カードＣ１に対するＩＣ処理中は、ユーザに対してカードかざし部３３にカードＣ２をかざすことのないよう表示部１９に警告表示を行うので、同様にエラーが低減できる。
なお、ユーザがカードかざし部３３にカードＣ２をかざしてはいけないときは「ＮＧ」や「処理不可能」と文字で表示してもよい。一方、カードＣ２をかざしてよいときは「ＯＫ」や「処理可能」と文字で表示してもよい。
【００３６】
さらに、本形態のプリンタ装置１では熱転写方式の印刷部２０が設けられているが、カードＣ１の表面に可視情報を記録できるものであればよい。また、本形態ではカードＣ１に対するＩＣ処理後に印刷部２０で印刷処理を行うと記載したが、ＩＣ処理の前に印刷処理をしてもよい。さらに、本形態では処理済のカードＣ１はカード排出部２５から排出される構成であるが、カード供給部１６の装置筐体２４に対する反対側にカード排出口２３を設けて、カードＣ１をカード排出口２３から排出してもよい。この構成であれば、まずカードＣ１に対して印刷処理を行い、その後ＩＣ処理をして、そのままカードＣ１をカード排出口２３から排出する。
【００３７】
なお、カードＣ１に対する処理が印刷のみでＩＣ処理が行われない場合、カードＣ１に印刷処理を行い、そのままカード排出部２５に排出すると、カードＣ１は第１通信部１２を通過しないため第２通信部１３におけるカードＣ２に対するＩＣ処理を邪魔することはない。
【００３８】
また、本形態では、上位装置１０からの命令でプリンタ装置１およびＩＣリーダライタ１１を動作させる例を示したが、プリンタ装置１やＩＣリーダライタのファームウェアに従って動作させてもよい。
【産業上の利用可能性】
【００３９】
本発明は、搬送パス上のカードと、ユーザによって装置筐体の外部からかざされるカードとに対して処理すべきカードに適切な処理を行うことができる非接触ＩＣリードライトシステム、非接触ＩＣリーダライタ装置およびプリンタ装置を提供するものであるため、非接触ＩＣリードライトシステム、非接触ＩＣリーダライタ装置およびプリンタ装置の製造、販売に寄与するので、産業上の利用可能性を有する。
【符号の説明】
【００４０】
１  プリンタ装置
１０  上位装置（ホストコンピュータ）
１１  ＩＣリーダライタ
１１ａ  ＩＣ制御部
１１ｂ  アンテナ
１２  第１通信部
１３  第２通信部
１４  待機部
１５  センサ
１８  搬送ローラ
１９  表示部
２０  印刷部
２４  筐体
２５  カード排出部
３０  ＩＣチップ
３１  アンテナ
３２  カード排出部
３３  カードかざし部
９５  制御部
Ｃ  カード
Ｃ１  搬送パス上のカード
Ｃ２  ユーザによってかざされたカード
Ｐ  搬送パス
Ｍ  モータ
【図１】
2010262416.tif 000003
【図２】
2010262416.tif 000004
【図３】
2010262416.tif 000005
【図４】
2010262416.tif 000006
【図５】
2010262416.tif 000007
【図６】
2010262416.tif 000008
【図７】
2010262416.tif 000009
【図８】
2010262416.tif 000010